(57)【要約】【課題】  表示器に対する過熱保護を図りつつ、ユーザビリティを高める。【解決手段】  操作画面を出力可能な表示器と、表示器を照明する光源と、表示器の温度に応じた温度情報を検出する温度検出手段と、操作画面に対する入力の状態を表す入力状態情報を取得する入力状態情報取得部と、温度情報と入力状態情報とに基づいて、光源の輝度状態を、第１状態と、第１状態よりも輝度が低い第２状態とを含む複数の状態間で移行させる輝度状態制御部とを備える、自動二輪車用表示装置が開示される。【選択図】  図４
2020062937.tif 000002
【特許請求の範囲】
【請求項１】
操作画面を出力可能な表示器と、
前記表示器を照明する光源と、
前記表示器の温度に応じた温度情報を検出する温度検出手段と、
前記操作画面に対する入力の状態を表す入力状態情報を取得する入力状態情報取得部と、
前記温度情報と前記入力状態情報とに基づいて、前記光源の輝度状態を、第１状態と、前記第１状態よりも輝度が低い第２状態とを含む複数の状態間で移行させる輝度状態制御部とを備える、自動二輪車用表示装置。
【請求項２】
前記輝度状態制御部は、所定閾値を超える前記表示器の温度を表す前記温度情報が検出されたことに基づいて前記光源の輝度状態を前記第１状態から前記第２状態に移行させた後、入力があることを表す前記入力状態情報が取得された場合に、前記光源の輝度状態を前記第２状態から前記第１状態に移行させる、請求項１に記載の自動二輪車用表示装置。
【請求項３】
前記輝度状態制御部は、入力があることを表す前記入力状態情報に基づいて前記光源の輝度状態を前記第２状態から前記第１状態に移行させると、所定時間だけ前記第１状態を維持する、請求項２に記載の自動二輪車用表示装置。
【請求項４】
前記輝度状態制御部は、前記所定時間だけ前記第１状態を維持している間に、入力があることを表す前記入力状態情報が新たに取得された場合に、新たな所定時間だけ前記第１状態を維持する、請求項３に記載の自動二輪車用表示装置。
【請求項５】
前記所定時間は、入力の属性に応じて変化される、請求項３又は４に記載の自動二輪車用表示装置。
【請求項６】
前記入力の属性が複数の操作項目のうちの一の操作項目の選択入力である場合の前記所定時間は、前記入力の属性が確定入力である場合の前記所定時間よりも長い、請求項５に記載の自動二輪車用表示装置。
【請求項７】
前記所定時間は、更に、前記温度情報の表す温度に応じて変化され、
前記温度情報の表す温度が第１温度である場合の前記所定時間は、前記温度情報の表す温度が前記第１温度よりも高い第２温度である場合の前記所定時間よりも長い、請求項５又は６に記載の自動二輪車用表示装置。
【請求項８】
入力があることを表す前記入力状態情報に基づいて前記光源の輝度状態が前記第２状態から前記第１状態に移行される際の輝度の変化態様は、前記所定時間の経過により前記光源の輝度状態が前記第１状態から前記第２状態へ移行される際の輝度の変化態様よりも緩やかである、請求項３〜７のうちのいずれか１項に記載の自動二輪車用表示装置。
【発明の詳細な説明】
【技術分野】
【０００１】
本開示は、自動二輪車用表示装置に関する。
【背景技術】
【０００２】
表示器の近傍に配設された温度検出手段が検出した温度が所定温度まで上昇すると表示器の光源への印加電力を低減させて、光源が発する光を通常輝度よりも低い低減輝度にするディレーティング手段を備え、ディレーティング手段が、車両の走行速度に基づいて、車両が駐車状態又は停車状態である場合か他の状態であるかを判別し、他の状態であるかを判別したときに、光源を低減輝度から通常輝度へと復帰させる技術が知られている。
【先行技術文献】
【特許文献】
【０００３】
【特許文献１】特開２０１５−１６８２８０号公報
【発明の概要】
【発明が解決しようとする課題】
【０００４】
しかしながら、上記のような従来技術では、表示器に対する過熱保護を図りつつ、ユーザビリティを高めることが難しい。例えば、ディレーティング手段に起因して停車状態において低減輝度であるときは、ユーザが操作のための入力を行っても通常輝度に復帰しないので、表示が暗くて見えにくいままであり、ユーザビリティの観点から使いづらいという問題点があった。
【０００５】
そこで、１つの側面では、本発明は、表示器に対する過熱保護を図りつつ、ユーザビリティを高めることを目的とする。
【課題を解決するための手段】
【０００６】
１つの側面では、操作画面を出力可能な表示器と、
前記表示器を照明する光源と、
前記表示器の温度に応じた温度情報を検出する温度検出手段と、
前記操作画面に対する入力の状態を表す入力状態情報を取得する入力状態情報取得部と、
前記温度情報と前記入力状態情報とに基づいて、前記光源の輝度状態を、第１状態と、前記第１状態よりも輝度が低い第２状態とを含む複数の状態間で移行させる輝度状態制御部とを備える、自動二輪車用表示装置が提供される。
【発明の効果】
【０００７】
１つの側面では、本発明によれば、表示器に対する過熱保護を図りつつ、ユーザビリティを高めることが可能となる。
【図面の簡単な説明】
【０００８】
【図１】一実施例による自動二輪車用表示装置の取付状態を概略的に示す図である。
【図２Ａ】自動二輪車用表示装置の単品状態（車両情報表示状態）の正面図である。
【図２Ｂ】自動二輪車用表示装置の単品状態（操作情報表示状態）の正面図である。
【図３】自動二輪車用表示装置の制御装置のハードウェア構成の一例を示す図である。
【図４】ディレーティング処理に関連した制御装置の機能の一例を示すブロック図である。
【図５】自動二輪車用表示装置の動作例（通常モード時）を示す概略フローチャートである。
【図６】自動二輪車用表示装置の動作例（ディレーティングモード時）を示す概略フローチャートである。
【発明を実施するための形態】
【０００９】
以下、添付図面を参照しながら各実施例について詳細に説明する。
【００１０】
図１は、一実施例による自動二輪車用表示装置１の取付状態を概略的に示す図である。
【００１１】
自動二輪車用表示装置１は、車両に搭載される。自動二輪車用表示装置１は、車速やエンジン回転数のような各種車両情報を表示する。自動二輪車用表示装置１は、ユーザ（運転者）の見やすい位置に搭載される。図１では、自動二輪車用表示装置１は、自動二輪車両ＡのハンドルＢの間に配設され、計器として機能する。
【００１２】
図２Ａ及び図２Ｂは、自動二輪車用表示装置１の単品状態の正面図であり、図２Ａは、車両情報表示状態として、車両情報を出力する際の画像Ｇ１０の一例の出力状態を示し、図２Ｂは、操作情報表示状態として、操作画面用の画像Ｇ２０の一例の出力状態を示す。
【００１３】
自動二輪車用表示装置１は、表示器２と、操作部８ａとを含む。
【００１４】
表示器２は、ＴＦＴ（Ｔｈｉｎ  Ｆｉｌｍ  Ｔｒａｎｓｉｓｔｏｒ）液晶ディスプレイや、有機ＥＬ（Ｅｌｅｃｔｒｏ−Ｌｕｍｉｎｅｓｃｅｎｃｅ）ディスプレイ等を含んでよい。例えば表示器２は、ＴＦＴ液晶ディスプレイを含み、バックライト８ｃ（光源の一例）（図３参照）により発せされた光を、液晶素子により部分的に遮光又は透過させることにより、車両情報に係る画像Ｇ１０（図２Ａ）や操作画面用の画像Ｇ２０（図２B）を表示する。表示器２には、その他、ナビゲーション用の地図画像や、ＴＶやメール等のようなマルチメディア系の画像が出力可能であってもよい。
【００１５】
操作画面用の画像Ｇ２０は、操作部８ａを介したユーザ操作（ユーザ入力）を支援するユーザインターフェイスを実現する。操作画面用の画像Ｇ２０は、選択操作可能な複数の選択項目Ｉ１からＩ４（図２Ｂでは４つの選択項目）を含む。なお、選択項目の数や配置、形状等は任意である。選択項目Ｉ１からＩ４には、それぞれに対応する機能や情報に対応する表記やマークが付与されてもよい。例えば操作画面用の画像Ｇ２０が音楽再生用の画像である場合、複数の選択項目Ｉ１からＩ４には、対応する楽曲名が付与されてもよい。
【００１６】
操作画面用の画像Ｇ２０は、現在選択中の操作項目を表すカーソルＣＳを含む。カーソルＣＳは、例えば図２Ｂに示すように、現在選択中の操作項目を、他の選択項目に対して強調する表示であってよい。なお、カーソルＣＳに代えて、ポインタ等が利用されてもよい。
【００１７】
操作部８ａは、表示器２の操作画面に対するユーザの入力を受け付ける入力手段の一例である。操作部８ａは、複数のスイッチＳＷ６、ＳＷ７、ＳＷ８、ＳＷ９、ＳＷ１０を含む。なお、操作部８ａに含まれるスイッチの数や配列等は任意である。
【００１８】
スイッチＳＷ６、ＳＷ７、ＳＷ８、ＳＷ９、ＳＷ１０の機能は、任意であり、例えば選択入力や確定入力が可能なスイッチであってよい。本実施例では、一例として、スイッチＳＷ６は、各種パラメータの調整用であり、スイッチＳＷ７は、選択入力用であり、スイッチＳＷ８は、決定（確定）入力用であり、スイッチＳＷ９は、ホーム画面（例えば図２Ａの車両情報に係る画像Ｇ１０）や前の画面に戻すための“戻る入力”用であり、スイッチＳＷ１０は、各種設定を行うための設定用である。
【００１９】
例えば、図２Ｂに示す操作画面用の画像Ｇ２０は、図２Aに示す車両情報に係る画像Ｇ１０が出力されている状態において、スイッチＳＷ１０を操作することで呼び出すことができる。あるいは、図２Ｂに示す操作画面用の画像Ｇ２０は、図２Aに示す車両情報に係る画像Ｇ１０が出力されている状態において、自動二輪車用表示装置１にＢｌｕｅｔｏｏｔｈ（登録商標）等で接続されたユーザ端末（例えばスマートフォン）で所定のアプリケーション（例えば音楽再生アプリケーション）を起動した際に、出力（切り替え表示）されてもよい。そして、ユーザは、図２Ｂに示す操作画面用の画像Ｇ２０が出力されている状態において、スイッチＳＷ７を操作して所望の選択項目を選択し、次いで、スイッチＳＷ８を操作することで、所望の選択項目に係る機能を実現させることができる。例えば操作画面用の画像Ｇ２０が音楽再生用の画像である場合、ある選択項目上にカーソルＣＳが位置する状態で、スイッチＳＷ８が操作されると、カーソルＣＳが位置する選択項目に対応付けられた楽曲の再生が開始される。この際、スイッチＳＷ６が操作されると、それに応じて音量が増減される。
【００２０】
なお、表示器２に設けられる各種のスイッチは、図２Ａ及び図２Ｂに示すものに限られず、任意である。また、表示器２に設けられる各種のスイッチは、タッチスイッチのような、機械的なスイッチ以外のスイッチ（静電容量式や感圧式のスイッチ）により実現されてもよいし、機械的なスイッチとタッチスイッチ等の組み合わせで実現されてもよい。例えばタッチスイッチの場合は、表示器２には、タッチパネルが設けられる。また、スイッチＳＷ７、ＳＷ８のような機械的なスイッチに代えて又は加えて、音声入力やジェスチャ入力による入力手段が利用されてもよい。また、表示器２の操作画面は、リモートコントローラやユーザ端末からの入力に応じて操作されてもよい。
【００２１】
操作部８ａの少なくとも一部がタッチスイッチにより実現される場合、例えば図２Ｂに示す複数の選択項目Ｉ１からＩ４は、それぞれタッチスイッチに係る領域を形成してよい。この場合、ユーザは、カーソルＣＳを用いずに、ダイレクトに所望の選択項目を選択できる。
【００２２】
なお、本実施例では、車両情報に係る画像Ｇ１０は、操作画面用の画像Ｇ２０とは異なり、操作が可能な画面を形成しないが、操作が可能な画面を形成してもよい。例えば、車両情報に係る画像Ｇ１０は、下部等に、１つ以上の操作項目を含んでもよい。
【００２３】
また、本実施例において、操作画面用の画像Ｇ２０は、自動二輪車用表示装置１にＢｌｕｅｔｏｏｔｈ（登録商標）等で接続されたユーザ端末と連携して操作可能とされてもよい。この場合、操作画面用の画像Ｇ２０は、ユーザ端末上の画像に対応してもよい。この場合、例えばユーザ端末上で開いたメール等を、自動二輪車用表示装置１上で閲覧したり編集したりすることが可能である。
【００２４】
図３は、自動二輪車用表示装置１の制御装置１０のハードウェア構成の一例を示す図である。図３には、制御装置１０のハードウェア構成に関連付けて、周辺機器８が模式的に図示されている。制御装置１０は、例えばＥＣＵ（Ｅｌｅｃｔｒｏｎｉｃ  Ｃｏｎｔｒｏｌ  Ｕｎｉｔ）として具現化されてもよい。
【００２５】
周辺機器８は、操作部８ａ、温度センサ８ｂ（温度検出手段の一例）、及びバックライト８ｃを含む。また、変形例では、周辺機器８は、照度センサを更に含んでよい。照度センサは、照度（日射量）を検出する。また、周辺機器８は、各種の車両情報（車速情報等）を送信してくる他の電子部品（各種センサや他のＥＣＵ）を含む。
【００２６】
操作部８ａは、上述のとおりである。
【００２７】
温度センサ８ｂは、表示器２の温度に応じた温度情報を検出する。例えば、温度センサ８ｂは、表示器２の近傍や内部に設けられる。温度センサ８ｂは、例えばサーミスタである。温度センサ８ｂは、例えば表示器２を制御する制御基板（図示せず）に実装されてもよい。温度センサ８ｂは、検出した温度を表す電気信号（温度情報）を制御装置１０に与える。
【００２８】
バックライト８ｃは、表示器２の光源として機能する。バックライト８ｃは、表示器２の背後に設けられる。バックライト８ｃは、導光体を介して表示器２に光を供給してもよい。
【００２９】
制御装置１０は、バス１９で接続されたＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、補助記憶装置１４、ドライブ装置１５、及び通信インターフェース１７、並びに、通信インターフェース１７に接続された有線送受信部２５及び無線送受信部２６を含む。なお、変形例では、無線送受信部２６が省略されてもよい。
【００３０】
補助記憶装置１４は、例えばＨＤＤ（Ｈａｒｄ  Ｄｉｓｋ  Ｄｒｉｖｅ）や、ＳＳＤ（Ｓｏｌｉｄ  Ｓｔａｔｅ  Ｄｒｉｖｅ）などであり、アプリケーションソフトウェアなどに関連するデータを記憶する記憶装置である。
【００３１】
有線送受信部２５は、有線ネットワークを利用して通信可能な送受信部を含む。有線ネットワークは、例えばＣＡＮ（Ｃｏｎｔｒｏｌｌｅｒ  Ａｒｅａ  Ｎｅｔｗｏｒｋ）である。有線送受信部２５には、周辺機器８が接続される。ただし、周辺機器８の一部又は全部は、バス１９に接続されてもよいし、無線送受信部２６に接続されてもよい。
【００３２】
無線送受信部２６は、無線ネットワークを利用して通信可能な送受信部である。無線ネットワークは、携帯電話の無線通信網、インターネット、ＶＰＮ（Ｖｉｒｔｕａｌ  Ｐｒｉｖａｔｅ  Ｎｅｔｗｏｒｋ）、ＷＡＮ（Ｗｉｄｅ  Ａｒｅａ  Ｎｅｔｗｏｒｋ）等を含んでよい。また、無線送受信部２６は、近距離無線通信（ＮＦＣ：Ｎｅａｒ  Ｆｉｅｌｄ  Ｃｏｍｍｕｎｉｃａｔｉｏｎ）部、Ｂｌｕｅｔｏｏｔｈ（登録商標）通信部、Ｗｉ−Ｆｉ（Ｗｉｒｅｌｅｓｓ−Ｆｉｄｅｌｉｔｙ）送受信部、赤外線送受信部などを含んでもよい。
【００３３】
なお、制御装置１０は、記録媒体１６と接続可能であってもよい。記録媒体１６は、所定のプログラムを格納する。この記録媒体１６に格納されたプログラムは、ドライブ装置１５を介して制御装置１０の補助記憶装置１４等にインストールされる。インストールされた所定のプログラムは、制御装置１０のＣＰＵ１１により実行可能となる。例えば、記録媒体１６は、ＣＤ（Ｃｏｍｐａｃｔ  Ｄｉｓｃ）−ＲＯＭ、フレキシブルディスク、光磁気ディスク等のように情報を光学的、電気的あるいは磁気的に記録する記録媒体、ＲＯＭ、フラッシュメモリ等のように情報を電気的に記録する半導体メモリ等であってよい。
【００３４】
制御装置１０は、表示器２のバックライト８ｃを高温環境下で減光して発熱を抑えるディレーティング（ｄｅｒａｔｉｎｇ）処理を行う。
【００３５】
図４は、ディレーティング処理に関連した制御装置１０の機能の一例を示すブロック図である。
【００３６】
制御装置１０は、図４に示すように、温度情報取得部１０２と、入力状態情報取得部１０３と、輝度状態制御部１０４とを含む。温度情報取得部１０２、入力状態情報取得部１０３、及び輝度状態制御部１０４は、ＣＰＵ１１が記憶装置（例えばＲＯＭ１３）に記憶された１つ以上のプログラムを実行することで実現できる。
【００３７】
温度情報取得部１０２は、温度センサ８ｂから温度情報を取得する。温度情報取得部１０２は、温度センサ８ｂからの温度情報をそのまま利用してもよいし、所定の加工（変換式による変換）を行った温度情報を利用してもよい。
【００３８】
入力状態情報取得部１０３は、操作画面に対する入力の状態を表す入力状態情報を取得する。入力状態情報は、例えば、操作部８ａにおける入力の有無を表す情報である。例えば、入力状態情報取得部１０３は、各種スイッチＳＷ６〜ＳＷ１０からの信号を、入力状態情報として取得する。この場合、入力状態情報取得部１０３は、スイッチＳＷ６〜ＳＷ１０のオン／オフ状態に基づいて、スイッチＳＷ６〜ＳＷ１０の入力の有無（入力があるか否か）を判定できる。また、入力状態情報取得部１０３は、スイッチＳＷ６〜ＳＷ１０のいずれかがオンになったかに基づいて、入力の属性（例えば選択入力か確定入力か等）を特定できる。例えば、スイッチＳＷ７がオンになった場合は、入力の属性が“選択入力”であり、スイッチＳＷ８がオンになった場合は、入力の属性が“確定入力”である。
【００３９】
輝度状態制御部１０４は、温度情報取得部１０２により取得された温度情報と、入力状態情報取得部１０３により取得された入力状態情報とに基づいて、バックライト８ｃの動作モード（「輝度状態」の一例）を、通常モード（「第１状態」の一例）と、通常モードよりも輝度が低いディレーティングモード（「第２状態」の一例）とを含む複数のモード間で移行させる。なお、バックライト８ｃの輝度は、印加電流又は印加電圧を制御することで調整されてよい。
【００４０】
輝度状態制御部１０４は、所定閾値を超える表示器２の温度を表す温度情報が検出された場合に、バックライト８ｃの動作モードを通常モードからディレーティングモードに移行させる。所定閾値は、表示器２の過熱保護の観点から規定される適合値であり、例えば５０℃程度であってよい。
【００４１】
輝度状態制御部１０４は、所定閾値を超える表示器２の温度を表す温度情報が検出されたことに基づいてバックライト８ｃの動作モードを通常モードからディレーティングモードに移行させた後、入力“有り”を表す入力状態情報が取得された場合に、バックライト８ｃの動作モードをディレーティングモードから通常モードに移行（復帰）させる。
【００４２】
なお、輝度状態制御部１０４は、所定閾値を超える表示器２の温度を表す温度情報が検出された際に、入力“有り”を表す入力状態情報が取得された場合は、バックライト８ｃの動作モードをディレーティングモードに移行させることなく、通常モードに維持する。
【００４３】
ここで、入力“有り”を表す入力状態情報とは、スイッチＳＷ６〜ＳＷ１０のいずれかからのオン信号である。なお、音声入力を利用する変形例では、入力“有り”を表す入力状態情報とは、音声入力がマイクロフォンを介して入力されている状態を示す情報であってよい。
【００４４】
このようにして、本実施例では、所定閾値を超える表示器２の温度を表す温度情報が検出された場合に、バックライト８ｃの動作モードを通常モードからディレーティングモードに移行させることで、表示器２が望ましくないレベルまで高温になることを抑制しつつ（表示器２に対する過熱保護を図りつつ）、入力“有り”を表す入力状態情報が取得された場合に、通常モードに移行させることで、操作画面の表示の見やすさ（表示品位）を高めてユーザビリティを高めることができる。
【００４５】
より具体的には、ディレーティングモードでは、通常モードよりもバックライト８ｃの輝度が低く抑えられるので、表示器２に対する過熱保護を図ることができる。なお、ディレーティングモードでの輝度は、通常モードでの輝度の例えば５０％程度であってよい。あるいは、ディレーティングモードでの輝度は、表示器２の温度に応じて可変されてもよい。この場合、ディレーティングモードでの輝度は、表示器２の温度が高いほど、低くなる態様で可変されてもよい。
【００４６】
他方、ディレーティングモードでは、通常モードよりもバックライト８ｃの輝度が低く抑えられるので、表示が暗くてユーザにとって見づらいものとなる傾向がある。この点、本実施例では、入力“有り”を表す入力状態情報が取得された場合に、通常モードに移行される。入力“有り”を表す入力状態情報が取得された場合は、ユーザが入力を行っている状態であり、ユーザが操作画面を見ている可能性が高い。従って、所定閾値を超える表示器２の温度を表す温度情報が検出された場合でも、ユーザが操作画面を見ている可能性が高い状態では、ディレーティングモードから通常モードに移行させることで、ユーザビリティを高めることができる。
【００４７】
以下では、このように、所定閾値を超える表示器２の温度を表す温度情報が検出された場合でも、入力“有り”を表す入力状態情報が取得された場合には、通常モードを形成する機能を、「ユーザ入力時のディレーティング制限機能」とも称する。
【００４８】
ユーザ入力時のディレーティング制限機能は、上述のようにユーザビリティを高めることができる反面、表示器２の温度を下げるという本来のディレーティングモードの機能（以下、「ディレーティング機能」とも称する）を犠牲にするものである。
【００４９】
従って、ユーザ入力時のディレーティング制限機能は、可能な限り、必要最小限で実現されることが望ましい。
【００５０】
このような観点から、輝度状態制御部１０４は、好ましくは、ユーザ入力時のディレーティング制限機能による通常モードについては、所定時間Ｔ１だけ維持する。所定時間Ｔ１は、ユーザが操作のために操作画面を見ている間は通常モードが維持されるように、試験等により適合されてよい。
【００５１】
また、輝度状態制御部１０４は、好ましくは、所定時間Ｔ１だけ通常モードを維持している状態で、所定時間Ｔ１が経過するまでに、入力“有り”を表す入力状態情報が取得された場合は、新たな所定時間Ｔ１だけ通常モードを維持する。すなわち、スイッチＳＷ６〜ＳＷ１０のいずれかの操作があるごとに、所定時間Ｔ１がリセット（再設定）される。これにより、ユーザが一連の操作を行う場合でも、その間、通常モードが維持される可能性が高くなり、ユーザビリティを高めることができる。
【００５２】
ここで、所定時間Ｔ１は、好ましくは、入力の属性に応じて可変される。これは、入力の属性によっては、入力後にユーザが操作画面を見ている可能性が変化するためである。例えば、選択入力の場合は、その後、選択入力が継続される可能性や、確定入力が行われる可能性が高く、入力後にユーザが操作画面を見ている可能性が高い。他方、確定入力の場合は、ユーザは目的を果たしたことになり、入力後にユーザが操作画面を見ている可能性が低い（あるいは、入力後にユーザが操作画面を見ている時間は短くなる傾向がある）。
【００５３】
従って、入力の属性が選択入力である場合の所定時間Ｔ１は、好ましくは、入力の属性が確定入力である場合の所定時間Ｔ１よりも長い。これにより、入力の属性に応じて所定時間Ｔ１の長さの最適化を図ることができる。すなわち、ユーザ入力時のディレーティング制限機能の持続時間の最適化を図ることができる。
【００５４】
同様の観点から、入力の属性が、ホーム画面（例えば図２Ａの車両情報に係る画像Ｇ１０）のような、操作が可能でない画面への“戻る入力”である場合は、所定時間Ｔ１は、比較的短く設定されてもよい。これは、操作が可能でない画面への戻りは、入力の終了を高い確率で示唆するためである。
【００５５】
また、入力の属性が、操作画面を見なくても可能な入力（例えば音量の調整等）である場合は、所定時間Ｔ１は、比較的短く設定されてもよい。これは、音量の増減のような入力については、ユーザは、視覚でなく聴覚を頼りにして、入力を確認できるためである。
【００５６】
また、表示器２がタッチパネルを備え、選択項目Ｉ１からＩ４がタッチスイッチを形成する場合は、選択項目の選択入力は、確定入力と同様に扱われてもよい。また、入力の属性が確定入力である場合でも、画面遷移のための確定入力の場合は、選択項目の選択入力と同様に扱われてもよい。例えば、階層構造のユーザインターフェイスの場合、最下層で確定入力が行われた場合だけ、所定時間Ｔ１が比較的短く設定されてもよい。
【００５７】
また、所定時間Ｔ１は、好ましくは、表示器２の温度（温度情報の表す温度）に応じて可変される。この場合、所定時間Ｔ１は、表示器２の温度が高いほど短くなる態様で可変されてもよい。これは、表示器２の温度が高いほど、ユーザ入力時のディレーティング制限機能に対してディレーティング機能の優先度が高くなるためである。例えば、表示器２の温度が第１温度Ｔｍ１である場合の所定時間Ｔ１が、表示器２の温度が第２温度Ｔｍ２（＞第１温度Ｔｍ１）である場合の所定時間Ｔ１よりも長くなる態様であってよい。この場合、所定時間Ｔ１は、表示器２の温度の相違に応じて、３段階以上で可変されてもよい。
【００５８】
また、輝度状態制御部１０４は、ユーザ入力時のディレーティング制限機能によりディレーティングモードから通常モードに移行する際の輝度の変化態様（輝度の上昇態様）を比較的緩やかにしつつ、ユーザ入力時のディレーティング制限機能により形成した通常モードからディレーティングモードに戻す際の輝度の変化態様（輝度の下降態様）を比較的急峻としてもよい。例えば、ユーザ入力時のディレーティング制限機能によりディレーティングモードから通常モードに移行する際の輝度の変化態様は、通常モードでの輝度を１００％としたとき、所定周期ごとに１０％ずつの増加であるのに対して、ディレーティングモードに戻す際の輝度の変化態様は、所定周期ごとに２０％ずつの増加である。これにより、ディレーティング機能を確保しつつ、ユーザ入力時のディレーティング制限機能を効果的に抑制できる。
【００５９】
なお、輝度の変化態様は、表示器２の温度（温度情報の表す温度）に応じて可変されてもよい。この場合、ユーザ入力時のディレーティング制限機能によりディレーティングモードから通常モードに移行する際の輝度の変化態様（輝度の上昇態様）は、表示器２の温度が高いほど緩やかな態様で可変されてもよい。また、ディレーティングモードに戻す際の輝度の変化態様は、表示器２の温度が高いほど急峻となる態様で可変されてもよい。これは、表示器２の温度が高いほど、ユーザ入力時のディレーティング制限機能に対してディレーティング機能の優先度が高くなるためである。
【００６０】
次に、図５及び図６を参照して、自動二輪車用表示装置１の動作例（ユーザ入力時のディレーティング制限機能に関する動作例）について説明する。
【００６１】
図５及び図６は、自動二輪車用表示装置１の動作例（ユーザ入力時のディレーティング制限機能に関する動作例）を示す概略フローチャートであり、図５は、バックライト８ｃの動作モードが通常モードであるときの動作例を示し、図６は、バックライト８ｃの動作モードがディレーティングモードであるときの動作例を示す。
【００６２】
図５に示す処理は、例えば、バックライト８ｃの動作モードが通常モードであるとき、所定周期ごとに実行される。
【００６３】
ステップＳ５０１では、制御装置１０は、温度センサ８ｂから最新の温度情報を取得する。
【００６４】
ステップＳ５０２では、制御装置１０は、ステップＳ５０１で得た温度情報が示す温度が所定閾値を超えたか否かを判定する。判定結果が“ＹＥＳ”の場合、ステップＳ５０３に進み、それ以外の場合は、ステップＳ５１０に進む。
【００６５】
ステップＳ５０３では、制御装置１０は、ディレーティング制限フラグが“０”であるか否かを判定する。ディレーティング制限フラグが“０”であることは、ユーザ入力時のディレーティング制限機能が作動していない状態を表し、ディレーティング制限フラグが“１”であることは、ユーザ入力時のディレーティング制限機能が作動している状態を表す。判定結果が“ＹＥＳ”の場合、ステップＳ５０４に進み、それ以外の場合は、ステップＳ５０８に進む。
【００６６】
ステップＳ５０４では、制御装置１０は、入力“有り”を表す入力状態情報が取得されたか否かを判定する。例えば、スイッチＳＷ６〜ＳＷ１０のうちのいずれかからオン信号が発生した場合は、入力“有り”を表す入力状態情報が取得されることになる。判定結果が“ＹＥＳ”の場合、ステップＳ５０６に進み、それ以外の場合は、ステップＳ５０５に進む。
【００６７】
ステップＳ５０５では、制御装置１０は、バックライト８ｃの動作モードを通常モードからディレーティングモードへ移行する。
【００６８】
ステップＳ５０６では、制御装置１０は、今回取得の入力状態情報が表す入力の属性に応じた所定時間Ｔ１を設定する。入力の属性に応じた所定時間Ｔ１の設定方法は、上述したとおりである。
【００６９】
ステップＳ５０７では、制御装置１０は、タイマを起動（リセット）する。
【００７０】
ステップＳ５０８では、制御装置１０は、タイマの状態に基づいて、所定時間Ｔ１が経過したか否かを判定する。判定結果が“ＹＥＳ”の場合、ステップＳ５０９に進み、それ以外の場合は、今回周期の処理はそのまま終了する。
【００７１】
ステップＳ５０９では、制御装置１０は、バックライト８ｃの動作モードを通常モードからディレーティングモードへ移行するとともに、ディレーティング制限フラグを“０”にリセットしかつタイマを停止する。
【００７２】
ステップＳ５１０では、制御装置１０は、ディレーティング制限フラグが“０”であるか否かを判定する。判定結果が“ＹＥＳ”の場合、今回周期の処理はそのまま終了し、それ以外の場合は、ステップＳ５１１に進む。
【００７３】
ステップＳ５１１では、制御装置１０は、ディレーティング制限フラグを“０”にリセットしかつタイマを停止する。なお、ユーザ入力時のディレーティング制限機能によって通常モードに移行した場合でも、その後、所定時間Ｔ１が経過する前に、ステップＳ５０１で得た温度情報が示す温度が所定閾値を超えなくなった場合、ディレーティングモードへの復帰が不要である。かかる場合、ユーザ入力時のディレーティング制限機能によって移行した通常モード（その後のディレーティングモードへの復帰が予定される通常モード）ではなく、本来の通常モードとなるため、ステップＳ５１１によってディレーティング制限フラグが“０”にリセットされかつタイマが停止される。
【００７４】
図５に示す処理によれば、ユーザ入力時のディレーティング制限機能が作動していない状態では、温度情報が示す温度が所定閾値を超えると、入力“有り”を表す入力状態情報が取得されない場合は、バックライト８ｃの動作モードが通常モードからディレーティングモードへ移行される。他方、ユーザ入力時のディレーティング制限機能が作動している状態では、入力の属性に応じて設定された所定時間Ｔ１が経過すると、ユーザ入力時のディレーティング制限機能が終了する（バックライト８ｃの動作モードが通常モードからディレーティングモードへ移行する）。
【００７５】
図６に示す処理は、例えば、バックライト８ｃの動作モードがディレーティングモードであるとき、所定周期ごとに実行される。
【００７６】
ステップＳ６０１では、制御装置１０は、温度センサ８ｂから最新の温度情報を取得する。
【００７７】
ステップＳ６０２では、制御装置１０は、ステップＳ６０１で得た温度情報が示す温度が所定閾値を超えたか否かを判定する。判定結果が“ＹＥＳ”の場合、ステップＳ６０３に進み、それ以外の場合は、ステップＳ６０７に進む。
【００７８】
ステップＳ６０３では、制御装置１０は、入力“有り”を表す入力状態情報が取得されたか否かを判定する。例えば、スイッチＳＷ６〜ＳＷ１０のうちのいずれかからオン信号が発生した場合は、入力“有り”を表す入力状態情報が取得されることになる。判定結果が“ＹＥＳ”の場合、ステップ６０４に進み、それ以外の場合は、今回周期の処理はそのまま終了する。
【００７９】
ステップＳ６０４では、制御装置１０は、今回取得の入力状態情報が表す入力の属性に応じた所定時間Ｔ１を設定する。入力の属性に応じた所定時間Ｔ１の設定方法は、上述したとおりである。
【００８０】
ステップＳ６０５では、制御装置１０は、タイマを起動（リセット）する。
【００８１】
ステップＳ６０６では、制御装置１０は、バックライト８ｃの動作モードをディレーティングモードから通常モードへ移行するとともに、ディレーティング制限フラグを“１”にセットする。
【００８２】
ステップＳ６０７では、制御装置１０は、バックライト８ｃの動作モードをディレーティングモードから通常モードへ移行する。
【００８３】
図６に示す処理によれば、ディレーティングモードでは、温度情報が示す温度が所定閾値を超えている状態において、入力“有り”を表す入力状態情報が取得されない場合は、ディレーティングモードが維持される。他方、温度情報が示す温度が所定閾値を超えている状態において、入力“有り”を表す入力状態情報が取得されると、ユーザ入力時のディレーティング制限機能が作動している状態に移行する（バックライト８ｃの動作モードがディレーティングモードから通常モードへ移行する）。
【００８４】
なお、本実施例では、バックライト８ｃの動作モードは、車両の状態に影響しないが、バックライト８ｃの動作モードは、車両の停止状態（又は駐車状態）か走行状態かに応じても、変化されてもよい。例えば、通常モードからディレーティングモードへの移行条件としては、停車中であることが含められてもよい。また、走行中である場合は、ユーザ入力時のディレーティング制限機能が禁止されてもよい。また、照度センサからの情報を更に利用してモード移行が実現されてもよい。
【００８５】
また、本実施例において、温度情報が示す温度が所定閾値を超えないものの、当該所定閾値を超えそうな状態である場合（例えば当該所定閾値よりもわずかに小さい値を超えた場合や、温度の上昇速度から当該所定閾値を超えることが予測された場合等）に、今後のディレーティングモードへの移行の予告が通知されてもよい。例えばこの場合、通常モードで、“高温中”といった警告表示を、表示器２に出力してもよい。
【００８６】
また、本実施例において、温度情報が示す温度に対する所定閾値は、モード変化のハンチングを抑制するために、ヒステリシスを有してもよい。例えば、通常モードからディレーティングモードへ移行する際の所定閾値は、ディレーティングモードから通常モードへ移行する際の所定閾値よりも高い値であってもよい。
【００８７】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【符号の説明】
【００８８】
１  自動二輪車用表示装置
２  表示器
８  周辺機器
８ａ  操作部
８ｂ  温度センサ
８ｃ  バックライト
１０  制御装置
１０２  温度情報取得部
１０３  入力状態情報取得部
１０４  輝度状態制御部
【図１】
2020062937.tif 000003
【図２Ａ】
2020062937.tif 000004
【図２Ｂ】
2020062937.tif 000005
【図３】
2020062937.tif 000006
【図４】
2020062937.tif 000007
【図５】
2020062937.tif 000008
【図６】
2020062937.tif 000009